(57)【要約】【課題】複数の記録層を有する光ディスク媒体においては、記録のたびに各層の試し書きを行うと、記録開始までに要する時間が長くなってしまう。また、ライトワンス媒体においては、追記のたびに試し書きの領域の使用量が増え、追記回数が制約されてしまう。【解決手段】記録時の試し書きを記録開始する層のみで行う。また、それ以外の層については、同様に当該層の記録開始時に試し書きを行うものとする。【選択図】図４
2010218619.tif 000002
【特許請求の範囲】
【請求項１】
複数の記録層を有し、かつ各層は同じトラック溝幅周期を有する光ディスクに対して、記録再生を行う光ディスク記録再生装置であって、
記録開始時には、最初に記録を行う当該層のみの記録条件が確定していることを特徴とする光ディスク記録再生装置。
【請求項２】
記録開始時に、最初に記録する層のみで記録条件の検索を行い、当該層以外の記録層については、記録条件の検索を行わないことを特徴とする光ディスク記録再生装置。
【請求項３】
複数の記録層を有し、かつ各層は同じトラック溝幅周期を有する光ディスクに対して、記録再生を行う光ディスク記録再生装置であって、
新たな記録層に記録を開始するタイミングにおいて、当該記録層の記録条件を確定することを特徴とする光ディスク記録再生装置。
【発明の詳細な説明】
【技術分野】
【０００１】
本発明は、半導体レーザを用いて、情報記録媒体上に情報を記録する光ディスク記録装置に関する。
【背景技術】
【０００２】
背景技術として、例えば、特許文献１等がある。特許文献１には、試し書きの領域の使用方法についての技術が開示されている。
【先行技術文献】
【特許文献】
【０００３】
【特許文献１】特開２００４−１９９７４６号公報
【発明の概要】
【発明が解決しようとする課題】
【０００４】
光ディスクを用いた記録再生装置は、短波長レーザの実用化と記録再生技術の向上に伴い、記憶容量が増大してきている。一方、半導体プロセスの技術進歩に伴い、コンピュータの処理速度が向上し、データの記憶装置に対する容量増大への要望は高い。データストレージとして、こうした背景のもと、１枚の光ディスクに多くのデータが記録できるようになることで利便性が向上すると考えられる。
【０００５】
また、大容量化の手法としては、記録密度の向上、両面に記録再生層を合わせ持つ両面ディスク、記録層の多層化などが挙げられる。このうち、記録密度の向上については、ひとつの手法ではあるが、光ディスク記録再生装置自体の互換性が保たれない可能性が出てきてしまう。次に、両面ディスクに関しては、例えばコンピュータ用の記録媒体として使用する場合、ディスクを取り出し、裏返してもう一度もとの光ディスク記録再生装置に挿入するという使い方では、データアクセスに時間が掛かってしまう。そこで、従来の光ディスク記録再生装置と互換性を保ちつつ、利便性を向上させる方法として、光ディスクの情報層を多層化する手法が大容量化に向けた研究開発が活発になされている。
【０００６】
こうした多層ディスクに対する課題、特に一回のみの書き込み可能なライトワンス媒体においては、記録レーザパワーの調整など記録条件を決定するためにＯＰＣ（Optimum  Power  Control）領域などと呼ばれる試し書き領域を記録するたびに消費してしまうということが挙げられる。記録層数が増えるに従って、記録容量も必然的に増える。光ディスクの容量に対して、わずかなデータを頻繁に記録する場合は、試し書き領域の消費量が多く、そのたびに各記録層の試し書きを行っていては、試し書き領域を必要以上に消費し、また試し書きに要する時間が長くなってしまう。
【０００７】
例えば、特許文献１の技術では、多層光ディスク媒体においては、記録のたびに、各層で試し書きを行うため、記録開始までに要する時間が長くなってしまう。また、多層光ディスクのライトワンス媒体においては、少ないデータ容量を頻繁に追記する場合に、必要以上に試し書き領域の使用量が増えてしまい、試し書き領域がなくなり、記録条件の最適化が行えなくなる可能性が出てくる。
【０００８】
本発明は、前記課題を解決するものであり、試し書きを必要最低限とし、記録開始までの時間を短縮できる光ディスク記録再生装置を提供することを目的とする。
【課題を解決するための手段】
【０００９】
上記目的は、例えば、特許請求の範囲に記載の発明により達成できる。
【発明の効果】
【００１０】
本発明の光ディスク記録再生装置は、試し書きを必要最低限とし、記録開始までの時間を短縮できる。
【図面の簡単な説明】
【００１１】
【図１】光ディスク記録再生装置のブロック図である。
【図２】多層光ディスクの構成図である。
【図３】従来の試し書きのフローチャートである。
【図４】実施例の試し書きのフローチャートである。
【図５】多層光ディスクの試し書きフローチャートの一例である。
【図６】実施例の試し書きフローチャートの一例である。
【発明を実施するための形態】
【００１２】
以下、本発明に従う光ディスク記録再生装置の好適な実施形態について説明する。以下の実施例の光ディスク記録再生装置は、記録開始までの時間短縮を、試し書き処理を分割することで実現するものである。
【００１３】
以下の実施例における光ディスク記録再生装置は、複数の記録層を有し、かつ各層は同じトラック溝幅周期を有する光ディスクに対して、記録再生を行う光ディスク記録再生装置であって、記録開始時には、最初に記録を行う当該層のみの記録条件が確定しているというものである。
【００１４】
また、複数の記録層を有し、かつ各層は同じトラック溝幅周期を有する光ディスクに対して、記録再生を行う光ディスク記録再生装置であって、新たな記録層に記録を開始するタイミングにおいて、当該記録層の記録条件を確定するというものである。
【００１５】
以下の実施例の光ディスク記録再生装置は、多層光ディスクの記録開始までの時間を短縮することができる。また、ライトワンス媒体においては、試し書き領域の使用量を節約できるため、追記回数の拡張が図られる。
【実施例１】
【００１６】
以下、本発明に従う光ディスク記録再生装置の詳細を、実施例を用いて説明する。
【００１７】
図１は、本発明の光ディスク記録再生装置の構成例を示す模式図である。光ディスク記録再生装置は、再生信号処理部１０１と記録信号処理部１０２で構成される。情報の書き込み及び読み出しが行われる光ディスク１０３はスピンドルモータ１０４に固定されており、アクセスする光ディスク媒体上の場所に応じて、回転制御回路１０５により所望の回転速度に調整される。
【００１８】
再生信号処理部１０１、及び記録信号処理部１０２の共通部分として、光ピックアップ１０６がある。光ピックアップは半導体レーザ（ＬＤ）１０７、集光用レンズ１０８及びビームスプリッタ１０９、光検出器１１０により構成される。
【００１９】
再生信号処理部１０１は光ピックアップ１０６、波形等化回路１１１、信号処理回路１１２によって構成される。
【００２０】
光ディスク１０３から読み出された信号は集光レンズ１０８、ビームスプリッタ１０９を介して光検出器１１０において、光から電気信号として出力される。この電気信号は、波形等化回路１１１に入力される。波形等化回路１１１においては、ＡＣカップリング、信号振幅のレベル調整、そしてノイズ除去のため、所望の周波数帯域の信号を強調して、信号成分を効率的に取得する。その後、信号処理回路１１２において、信号レベルの平均値を基準（スライスレベル）として、二値化処理が行われ、ＰＬＬ（Ｐｈａｓｅ  ｌｏｃｋ  Ｌｏｏｐ）によって再生クロックに同期したタイミングの補正が行われる。
【００２１】
光ディスク記録再生装置はマイコン１１３により制御されるため、情報の読み出し、及び書き込みはホストからマイコンを経由して、各ブロックの制御が行われる。
【００２２】
記録信号処理部１０２は記録データ生成回路１１４、レーザ駆動回路１１５、光ピックアップ１０６により構成される。
【００２３】
記録データ生成回路１１４では、記録するためのデータ列を光ディスク記録再生装置の変調方式に応じて変調を行う。この変調結果として、装置が当該光ディスク媒体１０３に書き込むための記録パルス波形を生成する。レーザ駆動回路１１５では、それぞれの記録パルスに応じたレーザパワー制御を行い、半導体レーザ１０７を駆動する。
【００２４】
以上のように、記録再生の動作を行う。
【００２５】
次にディスクの構造の一例として、図２に４層ディスクの構造を示す。各層毎にそれぞれ内周側のインナーゾーン２０１、ディスク中央のデータ領域２０２、外周のアウターゾーン２０３に分けられる。それぞれ試し書きを行う領域としては、インナーゾーン２０１もしくはアウターゾーン２０３にレイアウトされる。
【００２６】
例えば、ＢＤ（Ｂｌｕ−Ｒａｙ  Ｄｉｓｃ）の場合、インターゾーンの試し書き領域は２０４８Ｃｌｕｓｔｅｒ（ＣｌｕｓｔｅｒはＥＣＣブロックの単位）あり、アウターゾーンの試し書き領域は５１２Ｃｌｕｓｔｅｒ割り当てられている。
【００２７】
現在の大容量ディスクとして、２層５０ＧＢのディスクがある。図３は、この５０ＧＢのディスクに対する試し書きのフローチャートを示している。まずＬ０において、記録条件の検索、つまりＯＰＣ（Ｏｐｔｉｍｕｍ  Ｐｏｗｅｒ  Ｃｏｎｔｒｏｌ）及びその他の記録パルスの最適化を行う。そして、その後にＬ１においても同様に記録条件の検索を行い、最適な記録条件を検索することが一般的に行われている。
【００２８】
これまでは層数が多くとも２層であり、容量も５０ＧＢまでに収まっていた。しかし、ＢＤのシステムで更なる多層を考慮すると、例えば、一面あたりの容量を同じくして４層の１００ＧＢというディスクが想定される。記録するデータ量が単純に倍になるとして、データの追記を頻繁に行う場合、例えば、Ｌ０を第一層として、第四層のＬ３には、始めのうちの追記では、データが全く記録されなくとも、ＯＰＣ含めた記録条件の決定のための試し書きが行われている可能性がある。
【００２９】
そこで、本実施例における試し書きのフローチャートを図４に示す。本実施例においては、まず始めに記録開始アドレスの監視を行う。（Ｓ１）これは、実際に記録する層の記録条件のみを確定させるためであり、それ以外の記録層については記録開始時には、記録条件の検索は行わない。
【００３０】
そして、最初に記録するアドレスがＬ０の場合はＬ０のみで記録条件の検索を行い（Ｓ２）、最初に記録するアドレスがＬ１の場合はＬ１のみで記録条件の検索を行う。（Ｓ３）以上により、試し書きを終了する。
【００３１】
本実施例の利点としては、以下のポイントが挙げられる。
・記録開始時に、記録する層のみで試し書きを行うため、試し書きの時間が二層ディスクの場合で、約半分に短縮可能。
・記録開始時に、記録する層のみで試し書きを行うため、記録中の温度上昇といった試し書き実行時との温度変化が少なく、記録特性の変動要因を低減可能。
・記録開始時に、記録する層のみで試し書きを行うため、不必要な他の層の試し書きは行わない。そのため、試し書き領域の消費量を低減でき、多数回の追記に対応可能。
【００３２】
ここで、本実施例においては、最初に記録する層と異なる記録層については、記録条件の検索を行わない。例えば、未記録ディスクの場合には、Ｌ０が最初に記録する層となり、Ｌ１の試し書きを行わない。しかし、シーケンシャルに記録を続けた場合、Ｌ０層の記録を終了し、次のＬ１の記録に移行する。
【００３３】
こうした記録層の移行の際には、次に記録する層の試し書きをこの時点で行う。こうすれば、記録開始時からの温度変化などにも対応が可能で、記録性能の改善が期待できる。
【００３４】
次に、現在のＢＤの容量から４層のディスクを想定すると、４層１００ＧＢのディスクとなる。図５に、このような１００ＧＢのディスクに対する従来の試し書きのフローチャートを示す。
【００３５】
従来の試し書きの方法としては、基本的にＬ０層から順番に記録条件の検索及び確定を繰り返す。４層ディスクの場合であれば、通常、まず始めにＬ０層にて記録条件の検索を行う（Ｓ１）。次にＬ１にて記録条件の検索を行い（Ｓ２）、同様にＬ２の記録条件の検索（Ｓ３）、Ｌ３の記録条件の検索（Ｓ４）を順番に行い、各層の記録条件を確定させていた。ただし、こちらは記録条件の検索方法の一例であり、Ｌ０からＬ３へ順番に記録条件の検索を行う必要はなく、順不同でも構わない。
【００３６】
同様に図６に本実施例の試し書きのフローチャートの一例を示す。本実施例においては、まず始めに記録開始アドレスの監視を行う。（Ｓ１）これは実際に記録を開始する層の記録条件のみを確定させるためであり、それ以外の記録層については記録開始時には、記録条件の検索は行わない。
【００３７】
そして、最初に記録するアドレスがＬ０の場合はＬ０のみで記録条件の検索を行う（Ｓ２）。その結果、記録開始の当該層となるＬ０層以外では、記録条件が確定されていない状態ではあるが、少なくとも最低限記録を行う当該層、この場合はＬ０のみが確定されていれば、記録動作を開始することができ、かつその他の記録層のＯＰＣ領域他、試し書きに使用する領域を必要以上に消費することがなくなる。
次に、最初に記録するアドレスがＬ１の場合（Ｓ３）はＬ１のみで記録条件の検索を行う（Ｓ４）。この場合も同じく、記録当該層のみの記録条件の検索に留めることにより、記録開始までの時間短縮、及びＯＰＣ領域等の試し書き領域の使用量の低減が図られる。
同様に、最初に記録するアドレスがＬ２の場合（Ｓ５）はＬ２のみで記録条件の検索を行い（Ｓ６）、また、最初に記録するアドレスがＬ３の場合はＬ３のみで記録条件の検索を行う。
【００３８】
以上の方法により、各層全てで試し書きを行うことなく、短時間で記録開始することが可能となる。また追記による試し書きの使用量を低減できるため、ＯＰＣ領域の不足等による追記回数の緩和も可能となる。
【符号の説明】
【００３９】
１０１    再生信号処理部
１０２    記録信号処理部
１０３    光ディスク
１０５    光ピックアップ
１０８    集光レンズ
１０９    ビームスプリッタ
１１０    光検出器
【図１】
2010218619.tif 000003
【図２】
2010218619.tif 000004
【図３】
2010218619.tif 000005
【図４】
2010218619.tif 000006
【図５】
2010218619.tif 000007
【図６】
2010218619.tif 000008